(57)【要約】【課題】バッフルプレートの微妙な高さ調節を安定かつ容易に行うことができ、バッフルプレートの取付け強度を向上した排気洗浄装置を提供する。【解決手段】排気用ファンを備えた排気ダクト２０に連通する筒状枠１０と、筒状枠１０の底部に設けられた穴あきプレート３０と、穴あきプレート３０の下方に配置され、液体Ａが貯留された液槽５０と、筒状枠１０の外壁から液槽５０内に進入され、筒状枠１０の外壁にネジ止め固定されたバッフルプレート４０と、筒状枠１０の外壁に設けられ、バッフルプレート４０の下端の液体Ａの液面に対する高さ位置の調節を、ネジの進退動に連動して行う高さ調節手段９０とが具備されてなる。【選択図】　図１
2004057871.tif 000002
【特許請求の範囲】
【請求項１】
排気用ファンを備えた排気ダクトに連通する筒状枠と、
前記筒状枠の下端部に設けられた穴あきプレートと、
前記筒状枠の下方に配置され、液体が貯留された液槽と、
前記筒状枠の外壁から前記液槽内に進入するように、前記筒状枠の外壁に固定されたバッフルプレートと、
前記筒状枠の外壁に設けられ、前記バッフルプレートの下端の前記液体の液面に対する高さ位置の調節のため、ネジの進退動に連動させて前記バッフルプレートの下端の高さを調節する高さ調節手段と、
を具備したことを特徴とする排気洗浄装置。
【請求項２】
前記筒状枠は、取手を有する点検口蓋を備え、前記高さ調節手段は、前記取手の下部と前記点検口蓋の外壁に突設されたプレートとの間に、調節ころが軸回りに回動可能に支持され、前記バッフルプレートの上部に突設されたフランジ部に、調節ボルトが前記バッフルプレートの高さ調節方向に向けて螺合されるとともに、前記調節ころと前記調節ボルトとが同軸上に固定され、前記調節ボルトに、前記調節ボルトと前記フランジ部とを固定するための固定ナットが螺合されたことを特徴とする請求項１に記載の排気洗浄装置。
【発明の詳細な説明】
【０００１】
【発明の属する技術分野】
本発明は、厨房等で発生する油脂分を含んだ排煙の油脂分を取り除いて屋外に排出するための排気洗浄装置に関するものである。
【０００２】
【従来の技術】
従来、この種の排気洗浄装置では、排気用ファンを備えた排気ダクトに連通する筒状枠の下方に水が貯留された液槽が設けられ、筒状枠から液槽内に進入するバッフルプレートが、筒状枠にネジ止め固定されている。
【０００３】
そして、上流側に設置された排気用ファンによって吸引を行い、油脂分を含有した排煙の厨房等から排気ダクトへの流れを形成するが、その過程における排気ダクトへの引き込み前に、排煙流を水の中に潜らせ、排煙流によって水の泡立ちを発生させながら、排煙と水とを積極的に接触させ、排煙からの油脂分を除去し、清浄な気体を排気ダクトから屋外に排出している。
【０００４】
このような排気洗浄装置において、排煙流によって水の泡立ちを効果的に行うためには、バッフルプレートの下端の水面に対する高さ位置を常に適切に調節する必要がある。
【０００５】
そのため、バッフルプレートは、上下方向に延びる長穴を有し、この長穴の所定位置で蝶ネジを用いて筒状枠に固定することで、バッフルプレートを上下方向の適切な位置に固定している。この位置は、バッフルプレートの下端が、水の内部に浸漬するか或いは水面に略接触するように調節される。
【０００６】
【発明が解決しようとする課題】
しかしながら、上記排気洗浄装置では、バッフルプレートが、長穴に対して蝶ネジのみで締め付けられているため、振動等によって蝶ネジが緩み、バッフルプレートが、その自重によって長穴の最上部まで下降し、初期の調節位置が維持できないという事情がある。また、バッフルプレートが筒状枠より脱落してしまうという最悪の事態に至ることもある。
【０００７】
さらに、バッフルプレートの高さ位置を調節する場合には、作業者が、バッフルプレートの自重を支えながら、上下に移動させ高さ調節を行っているため、高さ調節を安定した状態で行うことが難しく、微妙な高さ調節が困難であるという事情がある。
【０００８】
本発明は、前記事情に鑑みてなされたものであり、その目的は、バッフルプレートの微妙な高さ調節を、安定かつ容易に行うことができるとともに、バッフルプレートの取付け強度を向上した排気洗浄装置を提供することにある。
【０００９】
【課題を解決するための手段】
前記目的を達成するため、請求項１に係る排気洗浄装置は、排気用ファンを備えた排気ダクトに連通する筒状枠と、前記筒状枠の底部に設けられた穴あきプレートと、前記穴あきプレートの下方に配置され、液体が貯留された液槽と、前記筒状枠の外壁から前記液槽内に進入され、前記筒状枠の外壁に固定されたバッフルプレートと、前記筒状枠の外壁に設けられ、前記バッフルプレートの下端部の前記液体の液面に対する高さ位置の調節を、ネジの進退動に連動して行う高さ位置調節手段とを具備したことを特徴としている。
【００１０】
このように、前記排気洗浄装置は、バッフルプレートの高さ位置の調節を、ネジの進退動に連動して行うようにしたので、バッフルプレートの微妙な高さ調節が可能となる。
【００１１】
請求項２に係る排気洗浄装置では、前記筒状枠は、取手を有する点検口蓋を備え、前記高さ調節手段は、前記取手の下部と前記点検口蓋の外壁に突設されたプレートとの間に、調節ころが軸回りに回動可能に支持され、前記バッフルプレートの上部に突設されたフランジ部に、調節ボルトが前記バッフルプレートの高さ調節方向に向けて螺合されるとともに、前記調節ころと前記調節ボルトとが同軸上に固定され、前記調節ボルトに、前記調節ボルトと前記フランジ部とを固定するための固定ナットが螺合されている。
【００１２】
高さ調節手段を前記構成としたことによって、バッフルプレートは、調節ボルトを介して点検口蓋に支持された安定した状態で高さ調節されるので、バッフルプレートの高さ調節は、作業者に負担をかけることなく簡単に行うことができる。また、調節ころによって、調節ボルトを回転させることで、微妙な高さ調節が可能となる。
【００１３】
さらに、振動等の外力が作用してバッフルプレートのフランジ部を下降させる方向に調節ボルトが回転しようとすると、固定ナットが調節ボルトとフランジ部を固定する方向に相対的に回転しようとするので、バッフルプレートの下降が阻止され、バッフルプレートの下端の初期の調節位置が確実に維持される。
【００１４】
【発明の実施の形態】
以下、本発明の実施の形態を図面に基づいて詳細に説明する。図１は、排気洗浄装置の縦断面図を示している。
【００１５】
図１において、排気洗浄装置は、ステンレススチール製等の筒状枠１０を有しており、この筒状枠１０は、厨房の天井に向かって拡開するように対向配置された傾斜側壁部１１と、これら傾斜側壁部１１の前後両端に配置された２つの垂直端壁（図示略す）とからなっている。
【００１６】
また、前記傾斜側壁部１１は、筒状枠１０の水平部１０ａにつながる上方基端部１１ａと、この上方基端部１１ａに固定された矩形板状の点検口蓋１１ｂとから構成されている。
【００１７】
筒状枠１０の上部は、天井に密封して取り付けられており、その内部は排気用ファン（図示略す）が設けられた排気ダクト２０に連通している。
【００１８】
筒状枠１０の下端部には、穴あきプレート３０が水平に配置されており、この穴あきプレート３０には、表裏に貫通する多数の小孔３１が全面に散在するように穿設され、この穴あきプレート３０の下方には、液体、例えば水Ａが貯留された液槽５０が配設されている。
【００１９】
前記液槽５０は、その上方に向けた開口部が筒状枠１０の下端部全体をカバーする開口広さを有している。即ち、筒状枠１０の下端開口は、液槽５０の上部開口内に納まっている。
【００２０】
また、前記傾斜側壁部１１は、図２、３に詳細を示した矩形板状の点検口蓋１１ｂをそれぞれ有しており、これら点検口蓋１１ｂの横方向両側には、略コ字形の２つの取手８０が、その両端部を上下に位置させて裏側よりナット８２によってそれぞれ固定されている（図４参照）。
【００２１】
前記点検口蓋１１ｂの下部には、その長手方向の略全長に亘って延びるバッフルプレート４０が、蝶ネジ１０１によって液槽５０に向かって高さ位置を調節可能に取り付けられ、その下端は液槽５０の内部に進入している。
【００２２】
また、バッフルプレート４０の高さ位置の調節を可能にするために、バッフルプレート４０には、上下方向に延びる長穴４１が設けられ、この長穴４１に、蝶ネジ１０１の軸部が緩く係合され、ネジ頭部が長穴４１のバッフルプレート４０面に衝合するようになっている。
【００２３】
そして、前記バッフルプレート４０は、傾斜側壁部１１に対して上下方向に移動可能となっており、蝶ネジ１０１を、点検口蓋１１ｂの裏側に配置されたナット１０２に締め付け、バッフルプレート４０を点検口蓋１１ｂに固定するようになっている。また、点検口蓋１１ｂには、バッフルプレート４０の高さ位置を微調節する高さ調節手段９０が、左右の取手８０の下部に位置するようにそれぞれ設けられている。
【００２４】
前記高さ調節手段９０は、図４に示すように、取手８０の下部と点検口蓋１１ｂの外壁より略直角方向に突設されたサポートプレート９１との間に調節ころ９２が配置されている。この調節ころ９２は、取手８０とサポートプレート９１との間に架け渡された調節ボルト９３によって支持されている。前記調節ころ９２と調節ボルト９３とは、セットネジ９５によって同軸上に固定されており、一体となって軸回りに回動可能になっている。なお、前記調節ボルト９３は、その上端部９４が、取手８０の下部に穿設された支持穴８３に回動可能に支持されており、下端部がバッフルプレート４０の高さ調節方向に向けられている。また、前記サポートプレート９１は、略Ｌ字形に形成され、取手８０とともに点検口蓋１１ｂに取り付けられている。
【００２５】
前記バッフルプレート４０は、その上部の一部を外側に向けて略Ｌ字状に屈曲形成したフランジ部４２を有しており、調節ボルト９３は、フランジ部４２の下面に溶接された溶接ナット９６に螺合されている。前記サポートプレート９１とフランジ部４２との間には、調節ボルト９３とフランジ部４２とを固定するための固定ナット９７が配置され、この固定ナット９７は、調節ボルト９３に螺合している。
【００２６】
図１に示されている液槽５０は、バッフルプレート４０の外壁に沿って下方に延出され、その上端を内側に屈曲させた側部５１とバッフルプレート４０との間には排気を導入するための間隙５２が設けられ、液槽５０の両端部は、筒状枠１０の端壁と同一面上にある端壁５５によって閉鎖されている。そして、液槽５０には、その底部に排水口５３が設けられ、この排水口５３は排水管に通じている。
【００２７】
筒状枠１０内の穴あきプレート３０の上方には、水滴除去部材６０が設けられ、傾斜側壁１１には、水滴除去部材６０および筒状枠１０の内面に付着した油脂を洗い落とすための洗浄ノズル７０が装着されている。
【００２８】
排気洗浄装置は、以上のように構成されているので、バッフルプレート４０の下端位置と液槽５０内の水面の高さ位置関係を良好な状態とするためのバッフルプレート４０の高さ調節は、先ず、調節ころ９２を回動させ、調節ボルト９３を回す。これによって、調節ボルト９３に螺合されている溶接ナット９６およびフランジ部４２が上下方向に移動され、バッフルプレート４０が、液槽５０内の水面に下端縁を接するか、あるいは同下端縁が多少水Ａに浸漬するように、その高さ位置が調節される。
【００２９】
そして、所望の高さ位置において、固定ナット９７をフランジ部４２に締め付けた後、蝶ネジ１０１を締め付け、バッフルプレート４０を点検口蓋１１ｂに固定する。
【００３０】
このように、前記高さ調節手段９０によれば、バッフルプレート４０の高さ位置の調節が、調節ころ９２によって、調節ボルト９３を回転させることで行われるので、バッフルプレート４０の下端の微妙な高さ調節が可能になる。また、高さ調節手段９０は、点検口蓋１１ｂの横方向両側に２つ設けられているので、バッフルプレート４０の下端縁の全域が水面に対して良好な位置関係を保つように容易に調節される。
【００３１】
即ち、天井の傾斜や経時変化により、装置全体の取付け状態に若干の傾斜が生じている場合でも各々の高さ調節手段９０を調節することで、その傾斜にも容易に対応することができる。
【００３２】
また、調整ボルト９３を介して点検口蓋１１ｂに支持された安定した状態で高さ調節されるので、バッフルプレート４０の高さ調節が、作業者に負担をかけることなく簡単に行える。
【００３３】
さらに、振動等の外力が作用し、調節ボルト９３に対してバッフルプレート４０のフランジ部４２を下降させる方向に力が加えられた場合でも、固定ナット９７には、調節ボルト９３とフランジ部４２を固定する方向に相対的に力が加わるので、バッフルプレート４０の下降が阻止され、バッフルプレート４０の下端の初期の調節位置が確実に維持される。
【００３４】
即ち、調節ボルト９３が左回りに回転し、バッフルプレート４０を下降させようとする場合、固定ナット９７は、フランジ部４２を調節ボルト９３に固定する方向、つまり右回りに相対的に回転するので、バッフルプレート４０の下降が阻止されることになる。
【００３５】
以上、本発明の実施の形態の排気洗浄装置について詳述したが、本発明は、上記実施の形態記載の排気洗浄装置に限定されるものではなく、本発明の特許請求の範囲に記載されている発明の精神を逸脱しない範囲で、設計において種々の変更ができるものである。
例えば、上記実施の形態の排気洗浄装置では、高さ調節手段９０は、取手８０を利用して取付けられているが、取手８０を持たない排気洗浄装置であっても適用可能である。なお、その際、調節ころ９２の取手８０に代わるものとして、サポートプレート９１のような支持部材を新たに設ける必要がある。
【００３６】
【発明の効果】
以上の説明から理解されるように、バッフルプレートの高さ位置の調節を、ネジの進退動に連動して行うようにしたので、バッフルプレートの微妙な高さ調節が可能となる。また、高さ調節は、バッフルプレートを点検口蓋に支持した安定した状態で行われるので、作業者に負担をかけることなく容易に行われる。さらに、調節後のバッフルプレートの調節位置が確実に維持され、取付け強度の向上が図られる。
【図面の簡単な説明】
【図１】本発明の一実施例に係る排気洗浄装置の縦断面図である。
【図２】図１に示す点検口蓋およびバッフルプレートの側面図である。
【図３】図２の部分拡大図である。
【図４】図１に示す高さ調節手段の正面図である。
【符号の説明】
１０　筒状体
１１　傾斜側壁部
１１ｂ　点検口蓋
３０　穴あきプレート
４０　バッフルプレート
４２　フランジ部
５０　液槽
８０　取手
９０　高さ調節手段
９１　サポートプレート
９２　調節ころ
９３　調節ボルト
９５　セットネジ
９６　溶接ナット
９７　固定ナット
Ａ　水
【図１】
2004057871.tif 000003
【図２】
2004057871.tif 000004
【図３】
2004057871.tif 000005
【図４】
2004057871.tif 000006